(57)【特許請求の範囲】
【請求項１】
中央部に開口を有する略ドーム状のガイド部を上向きに突設したケースと、底面を前記ガイド部の表面に摺接させて該ガイド部上に揺動自在に搭載された操作ノブと、この操作ノブと前記ケースとの間に介設されて該操作ノブに弾接するクリックゴムと、前記操作ノブの中央部から下向きに垂設されて前記開口を貫通するステムと、このステムにスナップ結合する係止爪を有して前記ガイド部の裏面に摺接する抜け止め部材と、前記ケース内に臨出する面に固定接点を配設した基板と、前記固定接点に接離可能な可動接点を有して前記ステムの下端部に係合するスライダとを備え、前記操作ノブと前記抜け止め部材とが前記ガイド部を摺動自在に挟み込む構成としたことを特徴とする揺動操作型スイッチ装置。
【請求項２】
請求項１の記載において、前記操作ノブの前記ガイド部の表面に摺接する部分を該ガイド部に面接触する湾曲面となしたことを特徴とする揺動操作型スイッチ装置。
【請求項３】
請求項１または２の記載において、前記抜け止め部材の前記ガイド部の裏面に摺接する部分を該ガイド部に面接触する湾曲面となしたことを特徴とする揺動操作型スイッチ装置。
【発明の詳細な説明】
【０００１】
【発明の属する技術分野】
本発明は、ケース上に支持された操作ノブを揺動操作することにより、ケース内でスライダを介して可動接点と固定接点とを選択的に接離させる揺動操作型スイッチ装置に係り、特に、自動車のミラーコントロールスイッチとして用いて好適な揺動操作型スイッチ装置に関する。
【０００２】
【従来の技術】
自動車のミラーコントロールスイッチに用いられている揺動操作型スイッチ装置は、通常、ケース上に支持された操作ノブを所定方向へ揺動させると、その揺動操作に連動してスライダがケース内でスライド移動し、このスライダに設けられた可動接点が基板上の特定の固定接点に接触するように構成されている。それゆえ、操作ノブを揺動操作すると、その揺動方向に応じた複数種類の信号を出力させることができ、これらの信号に基づいてミラーの上下左右の角度を適宜調整できるようになっている。
【０００３】
従来より、かかる揺動操作型スイッチ装置において、ケースに開口を有する略ドーム状のガイド部を突設し、操作ノブに一体形成したステムをガイド部の開口を挿通してケース内に延出させると共に、その下端部をスライダに係合させ、ケース内に組み込んだコイルばねでステムを常時下向きに付勢するように構成したものが知られている。このものは、コイルばねの弾性力によってステムが常時下向きに付勢されているため、操作ノブをガイド部上に揺動自在に搭載することができると共に、操作ノブのガタや脱落を防止することができ、しかも、操作ノブとステムが一体成形品なので、操作ノブの揺動操作時にステムにガタが発生せず、それゆえ小型化が図りやすいという利点を有する。
【０００４】
【発明が解決しようとする課題】
ところで、前述した従来の揺動操作型スイッチ装置では、コイルばねの弾性力に抗して操作ノブを押し込み、この操作力を除去するとコイルばねの弾性力で操作ノブが初期位置に復帰するように構成されているため、操作ノブの揺動操作時にクリック感を生起させることができず、使い勝手が悪いという難点がある。また、揺動操作時のクリック感を得るためにクリック部材を追加すると、部品点数が増えて構成も複雑になってしまい、高コスト化を余儀なくされるという新たな問題が発生する。
【０００５】
本発明は、このような従来技術の実情に鑑みてなされたもので、その目的は、揺動操作時にクリック感を生起してガタもない良好な操作感触が得られ、かつ低コスト化や小型化も図りやすい揺動操作型スイッチ装置を提供することにある。
【０００６】
【課題を解決するための手段】
上述した目的を達成するために、本発明の揺動操作型スイッチ装置では、中央部に開口を有する略ドーム状のガイド部を上向きに突設したケースと、底面を前記ガイド部の表面に摺接させて該ガイド部上に揺動自在に搭載された操作ノブと、この操作ノブと前記ケースとの間に介設されて該操作ノブに弾接するクリックゴムと、前記操作ノブの中央部から下向きに垂設されて前記開口を貫通するステムと、このステムにスナップ結合する係止爪を有して前記ガイド部の裏面に摺接する抜け止め部材と、前記ケース内に臨出する面に固定接点を配設した基板と、前記固定接点に接離可能な可動接点を有して前記ステムの下端部に係合するスライダとを備え、前記操作ノブと前記抜け止め部材とが前記ガイド部を摺動自在に挟み込む構成とした。
【０００７】
このように操作ノブと一体のステムに抜け止め部材をスナップ結合させて、操作ノブと抜け止め部材をケースのガイド部の表裏両面に摺接させれば、操作ノブを脱落の恐れなくガイド部上で円滑に揺動させることができると共に、操作ノブの揺動操作時にステムにガタが生じないため、小型化に伴いスライダのスライド移動量が少ない場合でも良好な操作感触が得られる。また、この操作ノブに下方からクリックゴムが弾接してプリテンションを付与する構成にしてあれば、操作ノブを常にガタのない状態に保持することができると共に、操作ノブの揺動操作時にクリック感が生起されるため使い勝手が良好となる。
【０００８】
また、かかる構成において、操作ノブのガイド部の表面に摺接する部分を該ガイド部に面接触する湾曲面となしておけば、操作ノブをガイド部上でより円滑に揺動させることができると共に、揺動操作を繰り返しても操作ノブの摺動部が摩耗しにくくなるため長寿命化が図れる。同様に、抜け止め部材のガイド部の裏面に摺接する部分を該ガイド部に面接触する湾曲面となしておけば、操作ノブをガイド部上でより円滑に揺動させることができると共に、揺動操作を繰り返しても抜け止め部材の摺動部が摩耗しにくくなるため長寿命化が図れる。
【０００９】
【発明の実施の形態】
本発明の実施の形態を図面を参照して説明すると、図１は実施形態例に係る揺動操作型スイッチ装置の平面図、図２は図１のＡ−Ａ線に沿う断面図、図３は図１のＢ−Ｂ線に沿う断面図、図４は図１のＣ−Ｃ線に沿う断面図、図５は該スイッチ装置の底部を除いた主要部分の分解斜視図、図６は該スイッチ装置の底部の分解斜視図、図７は操作ノブを揺動操作した状態を示す動作説明図、図８は操作ノブを揺動操作した状態を示す動作説明図であり、図７は図２に、図８は図４にそれぞれ対応している。
【００１０】
これらの図に示す揺動操作型スイッチ装置は、自動車のミラーコントロールスイッチとして用いられるもので、図中の符号１はケース、２はこのケース１上に搭載されて４か所の押圧操作部２ａに対応する十字方向（４方向）へ揺動操作可能なミラー角度調整用の操作ノブ、３はこの操作ノブ２と一体に成形されたステム、４はこのステム３にスナップフィットして操作ノブ２の脱落を防止している抜け止め部材、５は四隅にクリックゴム５ａを突設してケース１と操作ノブ２との間に介設された弾性ゴム部材、６は操作ノブ２に連動しステム３の下端部を介して十字方向へ往復移動可能な第１のスライダ、７はこの第１のスライダ６に取り付けられた可動接点、８はケース１内に臨出する面に固定接点パターン９，１０等を配設している基板、１１はケース１上に搭載されてシーソ状に揺動操作可能なミラー選択ノブ、１２はこのミラー選択ノブ１１の操作時にクリック感を生起する鋼球、１３はミラー選択ノブ１１に連動して往復直線移動可能な第２のスライダ、１４はこの第２のスライダ１３に取り付けられた可動接点、１５，１６は外部回路に接続するためのコネクタ、１７は基板８やコネクタ１５，１６を収納しケース１と共にスイッチ装置の外殻を構成するカバー部材、１８はスイッチ装置を外部機器に取り付けるためにケース１に嵌着された板ばねからなる取付板を示している。
【００１１】
ケース１の上面側には、弾性ゴム部材５を嵌め込むための凹所１ａと、操作ノブ２を揺動自在に搭載するための略ドーム状のガイド部１ｂと、ステム３を挿通させるためにガイド部１ｂの中央部に形成された開口１ｃと、ミラー選択ノブ１１を揺動自在に支持するための支軸１ｄ等が設けられている。操作ノブ２の裏側にはステム３を包囲するように中央環状部２ｂが突設されており、この中央環状部２ｂの底面はガイド部１ｂの表面に面接触する湾曲摺接面２ｃとなっている。また、この操作ノブ２の裏面には凹所１ａ内に載置された弾性ゴム部材５の各クリックゴム５ａが弾接し、これらクリックゴム５ａにより上向きのプリテンションを付与しているので、操作ノブ２は常にガタのない状態に保持されている。さらにまた、隣り合うクリックゴム５ａのほぼ中間に押圧操作部２ａが位置するように設計してあるので、操作ノブ２の揺動操作時には２個のクリックゴム５ａを押し撓めながら、その中間に位置する押圧操作部２ａを押し込むことになり、よって操作ノブ２が不所望方向へ揺動する心配がなく安定した操作が行えると共に、所定量押し撓められたクリックゴム５ａの座屈時にクリック感が生起されるため使い勝手も良好となっている。なお、弾性ゴム部材５の中央部にはステム３を挿通させるための透孔５ｂが穿設されている。ステム３の上部には一対の凹状の切欠き３ａが設けられており、これらの切欠き３ａに抜け止め部材４の一対の係止爪４ａをスナップフィットさせることにより、ケース１内でステム３の上部に抜け止め部材４が外挿・固定される。また、抜け止め部材４には、ステム３を挿通させるための貫通孔４ｂと、この貫通孔４ｂの周囲でガイド部１ｂの裏面に面接触する球面状の湾曲摺接面４ｃが設けられている。つまり、ケース１のガイド部１ｂは抜け止め部材４と操作ノブ２の中央環状部２ｂとで挟み込まれており、操作ノブ２の揺動操作時には、ガイド部１ｂの表裏両面に沿って湾曲摺接面２ｃと湾曲摺接面４ｃとが摺動するようになっている。
【００１２】
第１のスライダ６は底面側に可動接点７を配置させた状態で基板８の固定接点パターン９形成領域上にスライド移動可能に搭載されており、第１のスライダ６内に組み込んだスプリング１９が可動接点７を基板８に向けて常時付勢してる。この第１のスライダ６には、ステム３の下端部が挿入される挿入孔６ａと、この挿入孔６ａ内でステム３と係合する係合凸部６ｂとが設けられており、操作ノブ２を揺動操作するとステム３の下端部が挿入孔６ａ内で傾倒するため、係合凸部６ｂを介してステム３に駆動される第１のスライダ６が基板８上でスライド移動するようになっている。一方、第２のスライダ１３は底面側に可動接点１４を配置させた状態で基板８の固定接点パターン１０形成領域上にスライド移動可能に搭載されており、第２のスライダ１３内に組み込んだスプリング２０が可動接点１４を基板８に向けて常時付勢してる。この第２のスライダ１３の一側部にはミラー選択ノブ１１の底面側に突設された脚片１１ａを嵌入させるための係合凹部１３ａが設けられており、ミラー選択ノブ１１を支軸１ｄを中心に揺動操作すると、脚片１１ａに駆動される第２のスライダ１３が基板８上でスライド移動するようになっている。また、ミラー選択ノブ１１の中央部にはスプリング２１と鋼球１２とが組み込んであり、ミラー選択ノブ１１の揺動操作時に、スプリング２１に押し込まれた鋼球１２がケース１の山形部分１ｅを乗り越えるとクリック感が生起されるようになっている。
【００１３】
基板８上には固定接点パターン９，１０と図示せぬリードパターンおよび半田ランド２２が形成されており、この半田ランド２２にコネクタ１５，１６の端子部１５ａ，１６ａが半田付けされる。また、カバー部材１７には基板８の透孔８ａに挿通してその位置決めを行うための位置決めピン１７ａが突設されている。
【００１４】
このように構成された揺動操作型スイッチ装置は、ミラー選択ノブ１１をいずれかの方向へ揺動操作することにより、第２のスライダ１３がスライド移動して固定接点パターン１０上での可動接点１４の接触位置が変化し、右または左のミラーを角度調整可能な状態に設定することができる。しかる後、４か所の押圧操作部２ａのうちのいずれかを押し込んで操作ノブ２を揺動操作すると、前述したように、クリックゴム５ａが押し撓められてクリック感を生起すると共に、傾倒するステム３を介して第１のスライダ６がスライド移動し、固定接点パターン９上での可動接点７の接触位置が変化するので、ミラー選択ノブ１１にて選択したミラーを押し込んだ押圧操作部２ａに応じて上下左右のいずれかの向きに角度調整することができる。例えば、図２において操作者が操作ノブ２の左側（図１中では下側）の押圧操作部２ａを押し込むと、押し込んだ側へステム３が傾倒するため、このステム３の下端部に駆動される第１のスライダ６が図２の右向きにスライド移動して図７に示すような状態となり、選択したミラーを下に向けて回転させる駆動信号が出力される。また、図４において操作者が操作ノブ２の左側（図１中でも左側）の押圧操作部２ａを押し込んだ場合には、ステム３の下端部に駆動される第１のスライダ６が図４の右向きにスライド移動して図８に示すような状態となり、選択したミラーを左に向けて回転させる駆動信号が出力される。
【００１５】
上述したように、本実施形態例においては、操作ノブ２と一体のステム３に抜け止め部材４をスナップフィットさせて、操作ノブ２と抜け止め部材４とをケース１のガイド部１ｂの表裏両面に摺接させてあるので、操作ノブ２を脱落の恐れなくガイド部１ｂ上で円滑に揺動させることができると共に、操作ノブ２の揺動操作時にステム３にガタが生じないため、小型化に伴い第１のスライダ６のスライド移動量が少なくなっても良好な操作感触が得られる。また、この操作ノブ２には下方からクリックゴム５ａが弾接してプリテンションを付与しているので、操作ノブ２を常にガタのない状態に保持することができると共に、操作ノブ２の揺動操作時にクリック感が生起されるため使い勝手が良好となる。しかも、操作ノブ２の湾曲摺接面２ｃと抜け止め部材４の湾曲摺接面４ｃをそれぞれガイド部１ｂの表裏両面に面接触させているので、操作ノブ２をガイド部１ｂ上で極めて円滑に揺動させることができると共に、揺動操作を繰り返しても湾曲摺接面２ｃ，４ｃは摺動抵抗が小さいため摩耗しにくく、よって長期にわたって安定した揺動操作を行うことができる。
【００１６】
【発明の効果】
本発明は、以上説明したような形態で実施され、以下に記載されるような効果を奏する。
【００１７】
操作ノブと一体のステムに抜け止め部材をスナップ結合させて、操作ノブと抜け止め部材とをケースのガイド部の表裏両面に摺接させると共に、操作ノブに下方からクリックゴムがプリテンションを付与するように構成したため、操作ノブをガタや脱落の恐れなくガイド部上で円滑に揺動させることができると共に、小型化に伴いスライダのスライド移動量が少ない場合でも良好な操作感触が得られ、しかも、操作ノブの揺動操作時にクリック感が生起されるため、使い勝手が良好揺動操作型スイッチ装置を実現することができる。
【図面の簡単な説明】
【図１】本発明の実施形態例に係る揺動操作型スイッチ装置の平面図である。
【図２】図１のＡ−Ａ線に沿う断面図である。
【図３】図１のＢ−Ｂ線に沿う断面図である。
【図４】図１のＣ−Ｃ線に沿う断面図である。
【図５】該スイッチ装置の底部を除いた主要部分の分解斜視図である。
【図６】該スイッチ装置の底部の分解斜視図である。
【図７】操作ノブを揺動操作した状態を示す図２に対応する動作説明図である。
【図８】操作ノブを揺動操作した状態を示す図４に対応する動作説明図である。
【符号の説明】
１  ケース
１ｂ  ガイド部
１ｃ  開口
２  操作ノブ
２ａ  押圧操作部
２ｃ  湾曲摺接面
３  ステム
３ａ  切欠き
４  抜け止め部材
４ａ  係止爪
４ｃ  湾曲摺接面
５  弾性ゴム部材
５ａ  クリックゴム
６  スライダ
６ａ  挿入孔
６ｂ  係合凸部
７  可動接点
８  基板
９  固定接点パターン
１７  カバー部材
【図１】
0003986263.tif 000002
【図２】
0003986263.tif 000003
【図３】
0003986263.tif 000004
【図４】
0003986263.tif 000005
【図５】
0003986263.tif 000006
【図６】
0003986263.tif 000007
【図７】
0003986263.tif 000008
【図８】
0003986263.tif 000009